(57)【要約】【課題】トレイがケース内に引き込まれるときとケースから押し出されるときのトレイとフックとの衝突音を防止できるようにする。【解決手段】トレイＴに弾性保持部材１５の引き込み力または押し出し力が作用する際に、フック２５ＡをトレイＴの側面に押し当てる突起部４が、フック２５Ａを移動自在に支持するシャーシに設けられている。フック２５ＡにはトレイＴが前記引き込み力または押し出し力が作用する位置に至ったときに、前記突起部４に対向して当接する凸部２５ｄが形成されている。【選択図】    図４
2004220685.tif 000002
【特許請求の範囲】
【請求項１】
マガジンと、前記マガジンが装填される本体部を有し、
前記マガジンは、ケースと、このケースの内部に収納された引出し可能なトレイと、前記トレイをケース内へ引き込む引き込み付勢力を発揮する付勢部材とを有し、前記トレイの引き出し方向に延びる側部に凹部が形成され、
前記本体部には、前記凹部に係合して、前記トレイを前記ケースから引き出す引出し方向と、前記トレイをケース内へ収納する収納方向とへ移動するフックが設けられ、
前記本体部と前記フックとの間には、前記付勢部材からトレイに対して前記引き込み付勢力が作用しているときに、前記フックを前記トレイに加圧する加圧手段が設けられており、前記引き込み付勢力が作用していないときに前記加圧手段による加圧が解除されることを特徴とするマガジン式ディスク装置。
【請求項２】
前記付勢部材は、前記ケースからトレイを引き出すときに引き出し付勢力を発揮するものであり、前記引き出し付勢力が作用するときに、前記加圧手段により前記フックが前記凹部内に加圧される請求項１記載のマガジン式ディスク装置。
【請求項３】
前記凹部に前記フックが係合したときに、前記凹部と前記フックとの間に、前記引き出し方向への隙間が形成される請求項１または２記載のマガジン式ディスク装置。
【請求項４】
前記加圧手段は、前記本体部に設けられて前記フックを前記凹部内へ押圧する突起である請求項１ないし３のいずれかに記載のマガジン式ディスク装置。
【請求項５】
前記本体部には前記引出し方向に沿って往復移動する移動部材が設けられており、前記フックは、前記移動部材に対して、前記凹部へ入り込む方向へ回動自在に支持されている請求項４記載のマガジン式ディスク装置。
【請求項６】
前記フックは、前記凹部へ入り込む方向へ弾性変形可能である請求項４記載のマガジン式ディスク装置。
【請求項７】
前記フックには、前記突起に当たるバネ部材が設けられている請求項４ないし６のいずれかに記載のマガジン式ディスク装置。
【発明の詳細な説明】
【０００１】
【発明の属する技術分野】
本発明は、ケース内にＣＤやＤＶＤなどのディスクが載置される複数のトレイが引き出し自在に設けられたマガジンが用いられるマガジン式ディスク装置に関する。
【０００２】
【従来の技術】
車載用のマガジン式ディスク装置に装填されるマガジンとして、ケース内に、ディスクが載置されたトレイがその厚み方向に重ねられて収納されるものがある。この種のマガジン式ディスク装置では、前記ケース内から選択されたトレイが引き出され、このトレイ上に載置されたディスクが回転駆動部に設置されて回転駆動される。
【０００３】
また、例えば以下の特許文献１に示すように、前記ケースの内部にはバネ部材が設けられ、このバネ部材の付勢力によって、それぞれのトレイがケース内に収納される方向へ付勢されており、この付勢力によって、ケース内からトレイが不用意に飛び出すのを防止できるようにしている。
【０００４】
しかし、ケース内に前記バネ部材が設けられたマガジンをディスク装置に装填して使用すると、選択したトレイをディスク駆動後等にケース内に戻すたびに、前記バネ部材の付勢力によってトレイがケースの奥壁部に勢いよく衝突する衝突音が発生する。また、ケース内からトレイを引き出すときも、前記バネ部材の付勢力によりトレイが勢いよく飛び出し、この力によりトレイがトレイを引き出す部材に強く当たり、このときも衝撃音が発生する。
【０００５】
これら衝撃音は使用者にとって耳障りである。
そこで、ケースとトレイとの間で発生する音を防止するものとして以下の特許文献２に記載のものがある。
【０００６】
この発明は、トレイを引き出すための引き出し部材として、トレイの凹部内に２つの部材が挿入されており、ディスクの引き出し動作を行う際に、前記２つの部材がばねによって相反する方向へ付勢される。この付勢力によって、一方の部材が前記凹部の一方の縁部に押圧され、他方の部材が前記凹部の他方の縁部に押圧されて、前記凹部内が内側から完全に保持された状態で、トレイが引き出される。
【０００７】
【特許文献１】
特開平１０−１４９６４９号公報
【特許文献２】
特開平８−１１５５５４号公報
【０００８】
【発明が解決しようとする課題】
前記特許文献２に記載の発明は、主にトレイがケース内で摺動する際のガタツキの発生を防止するために、引き出し部材でトレイの凹部を内側から完全に保持した状態で、トレイの引き出し動作を行わせようとしている。
【０００９】
したがって、引き出し部材で引き出されている途中のトレイと、前記引き出し部材との間に自由度が全くなく、すなわちトレイはその姿勢が完全に固定されたままケースから引き出されるため、引き出し途中のトレイとケースの設置姿勢との間に相対的な傾きがあったようなときに、トレイがケースの内面を摺って、トレイの摺動負荷が極端に高くなる、などの問題が生じる。
【００１０】
また、引き出し部材に設けられた２つの部材を相反する方向へ付勢する構造では、引き出し部材の構造がきわめて複雑になる。
【００１１】
本発明は上記従来の課題を解決するものであり、簡単な構造で、トレイの引き込み付勢力に起因する衝撃音の発生を防止でき、また基本的にトレイの引き出し動作時の自由度を阻害することのないマガジン式ディスク装置を提供することを目的とする。
【００１２】
【課題を解決するための手段】
本発明は、マガジンと、前記マガジンが装填される本体部を有し、
前記マガジンは、ケースと、このケースの内部に収納された引出し可能なトレイと、前記トレイをケース内への引き込む引き込み付勢力を発揮する付勢部材とを有し、前記トレイの引き出し方向に延びる側部に凹部が形成され、
前記本体部には、前記凹部に係合して、前記トレイを前記ケースから引き出す引出し方向と、前記トレイをケース内へ収納する収納方向とへ移動するフックが設けられ、
前記本体部と前記フックとの間には、前記付勢部材からトレイに対して前記引き込み付勢力が作用しているときに、前記フックを前記トレイに加圧する加圧手段が設けられており、前記引き込み付勢力が作用していないときに前記加圧手段による加圧が解除されることを特徴とするものである。
【００１３】
このマガジン式ディスク装置では、フックをトレイの凹部に加圧するという簡単な構成により、トレイに前記引き込み付勢力が作用したときに、この付勢力によるトレイの急激な移動を阻止できる。よって衝撃音の発生を防止できる。また引き込み付勢力が作用していないときには、フックが凹部内に押圧されていないため、トレイは自由度を有して移動できるようになり、ケース内でのトレイの出入りがスムーズである。
【００１４】
さらに本発明は、前記付勢部材は、前記ケースからトレイを引き出すときに引き出し付勢力を発揮するものであり、前記引き出し付勢力が作用するときに、前記加圧手段により前記フックが前記凹部内に加圧されるものであってもよい。
【００１５】
このようにすると前記引き出し付勢力によってトレイの凹部がフックに衝撃を与え、衝撃音を発生させるのを抑制できる。
【００１６】
例えば、前記凹部に前記フックが係合したときに、前記凹部と前記フックとの間に、前記引き出し方向への隙間が形成されるものであってもよい。
【００１７】
本発明では、凹部とフックとの隙間があっても、付勢部材の付勢力により、前記凹部とフックとが衝撃的に当たるのを防止できる。また凹部とフックとの間に隙間を有することにより、トレイがケース内で移動するときの自由度を得ることができる。
【００１８】
また、前記加圧手段は、前記本体部に設けられて前記フックを前記凹部内へ押圧する突起である。
【００１９】
この場合に、前記本体部には前記引出し方向に沿って往復移動する移動部材が設けられており、前記フックは、前記移動部材に対して、前記凹部へ入り込む方向へ回動自在に支持されているものであってもよいし、前記フックは、前記凹部へ入り込む方向へ弾性変形可能であってもよい。
【００２０】
さらに、前記フックには、前記突起に当たるバネ部材が設けられているものであると、フックが凹部内に弾性的に加圧されるようになる。
【００２１】
【発明の実施の形態】
図１ないし図３は本発明の一実施の形態を示すマガジン式ディスク装置にディスク収納マガジンが装填されているときの全体の内部構造を示す平面図であり、図１はトレイ収納時、図２はトレイ移動時、図３はトレイ引き出し完了時を示す。図４は加圧手段の実施の形態を示す拡大斜視図、図５は加圧手段の他の実施の形態を示す拡大斜視図、図６はトレイの引き出し機構部分を示す部分斜視図である。なお、図面において、Ｙ１方向が引き出し方向であり、Ｙ２方向が収納方向である。
【００２２】
本実施の形態のマガジン式のディスク装置１は、ＣＤやＤＶＤなどの複数のディスクＤから１枚のディスクＤを選択して記録や再生動作を行うディスク選択方式のものである。
【００２３】
ディスク装置１の本体部（ディスク収納マガジン１１を除いた部分）は、前記ディスク収納マガジン１１が収納される箱型の筐体１ａを有し、この筐体１ａは前記ディスク収納マガジン１１が収納されたときにこのディスク収納マガジン１１のケース１２がほぼ収納される形状である。前記筐体１ａの内部では、ディスク収納マガジン１１の開口部１２ａに対向する部分に、ディスク駆動部３０が設けられている。
【００２４】
このディスク駆動部３０は、ディスクＤの中心部が設置されるターンテーブル３１と、このターンテーブル３１を回転駆動するスピンドルモータを有している。前記ターンテーブル３１の上方にはクランパ３２が対向しており、このクランパ３２がクランプアーム３３に回転自在に支持されている。前記クランプアーム３３は図示しない持上げ機構によってターンテーブル３１から離れる方向へ持ち上げられている。ディスクＤの中心がターンテーブル３１の上に至ると、前記クランプアーム３３が下降させられ、ばねの力でクランパ３２が加圧されて、ディスクＤの中心部がターンテーブル３１とクランパ３２とで挟持される。
【００２５】
またディスク駆動部３０は、筐体１ａに装填されたディスク収納マガジン１１の内部のトレイＴの並び方向（ディスクＤの厚み方向）へ移動可能であり、この移動動作により、前記ディスク収納マガジン１１内のいずれかのトレイＴが選択される。
【００２６】
このディスク装置１に収納されるディスク収納マガジン１１は、ケース１２内に複数個のトレイＴが重ねられた状態で引き出し自在に収納されており、そのそれぞれのトレイＴにディスクＤが載置可能となっている。ケース１２は合成樹脂により箱形状に形成されている。ケース１２の図示Ｙ１側にトレイを出し入れするための前記開口部１２ａが形成されている。
【００２７】
前記ケース１２は、前記開口部１２ａと対向する奥部側（Ｙ２側）が壁部１２ｂで閉鎖され、この壁部１２ｂの内面が内壁１２ｂ１となっている。前記ケース１２のＸ１およびＸ２側に位置する両側部の内壁１２Ａ，１２Ｂには、棚状の支持案内部（図示せず）が高さ方向（紙面と直交する方向）に一定のピッチで並設されており、個々のトレイＴの両側の支持部Ｔ４，Ｔ５は、前記支持案内部にＹ方向へ摺動自在に支持されている。
【００２８】
前記トレイＴには、ディスクＤが載置される凹状のディスク載置部Ｔ３が形成されている。このディスク載置部Ｔ３の前縁部Ｔ１は、ディスクＤが載置されたときに前記ディスクＤの中心穴Ｄ１とその周囲の一定領域が露出する凹形状である。
【００２９】
前記トレイＴは合成樹脂材料で形成されており、４箇所に弾性変形可能な抜け止め部２４が一体に形成されている。前記抜け止め部２４の先部は前記ディスク載置部Ｔ３の底部から突出しており、４箇所に設けられた前記抜け止め部２４の先部が、ディスク載置部Ｔ３に設置されたディスクＤの外周縁に対向することにより、個々のディスクＤがトレイＴから容易に抜け出さないようになっている。
【００３０】
図１と図４に示すように、前記筐体１ａ内に設けられた前記ディスク駆動部３０のＸ２側の縁部には、トレイＴのＸ２側の縁部に沿ってＹ２方向に延びる側板３が形成されている。前記ディスク駆動部３０がトレイの選択動作のために、トレイＴの並び方向へ昇降動作する際に、前記側板３が一緒に移動し、この側板３が、選択されたトレイＴの側部に対向する。
【００３１】
前記側板３には鉤状のフック２５Ａが設けられている。このフック２５Ａは、Ｙ方向に移動自在に支持された往復移動部材として機能するスライド板２６に支持されている。このスライド板２６は、前記側板３にＹ１−Ｙ２方向へ移動自在に支持されている。図１に示す停止位置が、スライド板２６のＹ２側の移動終端であり、図３の停止位置が、スライド板２６のＹ１側への移動終端である。
【００３２】
また、前記ディスク駆動部３０には、前記スライド板２６をＹ１方向とＹ２方向へ往復移動させる駆動手段が設けられている。この駆動手段はモータの回転力を往復運動に変換するものであり、例えば前記スライド板２６に設けられたラックと、前記モータで駆動されるピニオン歯車との噛み合い機構などにより実施可能である。
【００３３】
図４および図６に示すように、前記スライド板２６には、Ｘ１方向に突出する半円状の支持片２６ａが設けられ、この支持片２６ａにＺ方向に延びる軸２５ａが固定されて、前記フック２５Ａの基端が前記軸２５ａに回動自在に支持されている。前記軸２５ａには図示しないトーションバネが設けられて、前記フック２５Ａが前記トレイＴから離れる方向へ常に付勢されている。前記フック２５Ａの先端には、Ｘ１側に向けて突出する係合突起２５ｂが一体に形成されている。前記係合突起２５ｂからフック２５Ａの基端に向かうＸ１側の縁部は、平坦な摺動部２５ｃとなっている。また前記フック２５Ａには、前記摺動部２５ｃとは反対のＸ２側に向けて突出する凸部２５ｄが一体に形成されている。
【００３４】
前記側板３の内面には、側板３のＸ１側の内面に突起部４が設けられている。前記スライド板２６がＹ２側へ移動する際、その移動終端の直前に至ったときに、前記フック２５Ａに設けられた前記凸部２５ｄが前記突起部４に乗りあがって、前記フック２５ＡがトレイＴに加圧されるようになっている。
【００３５】
この突起部４は、前記側板３と一体に形成された金属製のものであってもよいし、突起部４が樹脂で形成されて前記側板の内面に固定されたものであってもよい。あるいは前記側板３と前記突起部４が、樹脂で一体に形成されていてもよい。突起部４を樹脂で形成することにより、突起部４がフック２５ＡをトレイＴに向けて押圧する際に弾性的な押圧を実現できる。この突起部４が本実施の形態での加圧手段として機能している。
【００３６】
また、前記側板３には、前記突起部４よりもＹ２側に、好ましくは突起部４とＹ２側に隣接する位置に、帯状の切欠穴５が形成されている。スライド板２６が、図４よりもさらにＹ２方向へ移動すると、フック２５Ａは、前記トーションバネの付勢力により反時計方向へ回動させられ、図１に示すように前記凸部２５ｄが前記切欠穴５の内部に入り込んで、前記フック２５ＡがトレイＴから離れる。
【００３７】
前記トレイＴのＹ１側の端部には、前記フック２５Ａと対向する位置に凹部３５が形成されている。前記トレイＴのＸ２側の側面には、前記凹部３５の開口縁部からＹ１側に延びる被摺動部３５ａが形成されて、前記被摺動部３５ａと前記摺動部２５ｃが部分的に対向している。図１に示すように、前記凹部３５のＹ方向の開口寸法Ｗは、前記係合突起２５ｂのＹ方向の寸法Ｓよりも長く形成されており、前記係合突起２５ｂが前記凹部３５に入り込んだときに、この凹部３５と係合突起２５ｂとの間にＹ方向に隙間が形成され、凹部３５の内部で係合突起２５ｂがＹ方向へ若干移動できるようになっている。
【００３８】
ディスク収納マガジン１１内のディスクＤの中心を通って、トレイＴの挿入方向に延びる中心線をＯ−Ｏとしたときに、前記フック２５Ａは、前記中心線Ｏ−Ｏから離れたＸ２側の側部に設けられている。またケース１２の前記内壁１２ｂ１では、前記中心線Ｏ−Ｏに対して前記フック２５Ａと同じ側（Ｘ２側）の側部に弾性保持部材（付勢部材）１５が設けられている。
【００３９】
前記弾性保持部材１５は、金属の板ばね材によりＣ字形状に折り曲げられた対をなす弾性腕１５ａ，１５ａを複数有している。前記弾性保持部材１５は、前記内壁１２ｂ１に対面する基部１５ｃが平面形状で、この部分が前記内壁１２ｂ１に固定されている。そして、対を成す複数組の弾性腕１５ａ，１５ａが、前記基部１５ｃからＹ１方向へ向けて一体に突出形成されている。前記対を成す弾性腕１５ａ，１５ａは、ケース１２内に挿入されるトレイＴと同数組設けられており、それぞれの組の弾性腕１５ａ，１５ａが、ケース１２内に挿入される個々のトレイＴに対向して設けられている。
【００４０】
前記一対の弾性腕１５ａ，１５ａの先端部には、円弧状に形成された付勢部１５ｂ，１５ｂが形成されており、付勢部１５ｂ，１５ｂは、互いに対向する方向へ凸形状である。
【００４１】
図１に示すように、前記ケース１２内には、前記中心線Ｏ−Ｏを挟んで、前記弾性保持部材１５およびフック２５Ａと逆の側（Ｘ１側）に規制部２０が設けられている。
【００４２】
個々のトレイＴには、挿入方向（図示Ｙ２側）の先部に、前記弾性保持部材１５に対向する保持用の突部１６が一体に形成されている。前記突部１６は、Ｘ１−Ｘ２方向へ向けて対称形状であり、Ｘ１方向とＸ２方向へ向くそれぞれの頂点１６ａと頂点１６ａとが、トレイＴの出入り方向において同じ位置にある。そして、前記頂点１６ａ，１６ａの位置で、突部１６の横方向（Ｘ１−Ｘ２方向）の幅寸法が最大となっている。また、前記突部１６のＸ１側とＸ２側に向くそれぞれの首部変曲点１６ｂと１６ｂは、Ｙ１−Ｙ２方向において同じ位置であり、前記突部１６の幅寸法は、前記首部変曲点１６ｂ，１６ｂの位置で最小となっている。
【００４３】
そして、前記突部１６の幅寸法は、前記首部変曲点１６ｂ，１６ｂから頂点１６ａ，１６ａへ向かう傾斜部１６ｃ，１６ｃにおいてＹ２方向に向かうにしたがって徐々に大きくなり、前記頂点１６ａ，１６ａを超えると、今度はＹ２方向へ向けて幅寸法が徐々に小さくなる別の傾斜部１６ｄ，１６ｄが形成されている。
【００４４】
一方、図１に示すように、トレイＴの挿入方向の先部で且つＸ１側には、Ｙ２方向へ突出する延長部１７が一体に設けられており、この延長部１７のＸ２側に向く縁部に、中心線Ｏ−Ｏに対して非平行に延びる緩衝突起１９が一体に突出形成されている。この緩衝突起１９は、その基部１８がトレイＴに一体に連結支持されており、先端部が自由端となってＸ１方向およびＸ２方向へ弾性的に曲げ変形自在である。
【００４５】
次に、このマガジン式ディスク装置１の動作を説明する。
図１に示すように、ディスク収納マガジン１１が筐体１ａに装填される前、および装填された状態では、ディスク収納マガジン１１内で、全てのトレイＴの突部１６が弾性保持部材１５に保持されている。すなわち、弾性腕１５ａ，１５ａの付勢部１５ｂ，１５ｂで前記突部１６の首部変曲点１６ｂ，１６ｂが保持されている。また、筐体１ａ内では、スライド板２６が側板３に沿ってＹ２側の終端位置に移動しており、前記フック２５Ａは、凸部２５ｄが切欠穴５の内部に入り込んで、前記凹部３５から抜け出る位置に回動し、フック２５ＡがトレイＴおよびケース１２から完全に離れている。
【００４６】
このマガジン式ディスク装置１は、筐体１ａに対して、ディスク収納マガジン１１がＹ１方向へ向けて、すなわちケース１２の開口部１２ａが筐体１ａの奥側へ向けて装填される。前記のように、フック２５ＡがトレイＴおよびケース１２の側部から完全に離れた位置にあるため、筐体１ａにディスク収納マガジン１１を支障なく装填でき、また筐体１ａから排出させることができる。
【００４７】
ディスク収納マガジン１１がディスク装置１内に装填されると、ディスク駆動部３０がトレイＴの並び方向へ移動して、ディスク収納マガジン１１内の選択されたトレイＴに対向する。これに伴い、フック２５Ａも選択されたトレイＴの側部に対向する。
【００４８】
そして、前記フック２５ＡがＹ１方向へ移動させられると、まずフック２５Ａの凸部２５ｄが切欠穴５から抜け出て、側板３に形成された突起部４に乗り上がり、フック２５Ａが時計方向へ回動して係合突起２５ｂがトレイＴの凹部３５の内部に入り込む。さらにフック２５ＡがＹ１方向へ移動すると、係合突起２５ｂの前縁部２５ｉが凹部３５の内側前部３５ｉに当接し、係合突起２５ｂの移動力により選択されたトレイＴがディスク駆動部３０に向けて引き出される。
【００４９】
トレイＴが引き出される最初の段階で、突部１６の頂点１６ａ，１６ａが弾性保持部材１５の付勢部１５ｂ，１５ｂを越えて、傾斜部１６ｄ，１６ｄを挟み込むように弾圧する。このとき付勢部１５ｂ，１５ｂが頂点１６ａ，１６ａを乗り越えた瞬間にトレイＴの付勢方向がＹ２方向からＹ１方向へ急激に変化し、且つ傾斜部１６ｄ，１６ｄの角度により弾性保持部材１５の挟持弾性力がトレイＴに対してＹ１方向への付勢力を与え、トレイＴが勢いよくＹ１方向へ飛び出そうとする。
【００５０】
しかし、このとき図２と図４に示すように、フック２５Ａの凸部２５ｄが突起部４に乗り上がり、フック２５Ａがさらに時計回り方向に回動させられて、フック２５Ａの摺動部２５ｃがトレイＴの先端の被摺動部３５ａに押し付けられ、あるいは係合突起２５ｂが凹部３５の底部３５ｋに押し付けられる。フック２５ＡによりトレイＴがＸ１方向へ加圧されることによりトレイＴのＸ１側の縁部がケース１２の内壁部へ押し付けられ、トレイＴに摩擦抵抗力が作用する。よって、トレイＴがＹ１方向へ勢いよく飛び出そうとする力が緩和され、係合突起２５ｂの後縁部２５ｊに凹部３５の内側後部３５ｊが高速で衝突することがなくなり、大きな衝撃音が発生するのを防止できる。
【００５１】
フック２５ＡとともにトレイＴがＹ１方向へ移動して弾性保持部材１５からトレイＴへのＹ１方向への付勢力が作用しなくなった時点で、フック２５Ａの凸部２５ｄが前記突起部４から外れ、トーションバネの付勢力によってフック２５Ａが反時計方向へ回動させられ、フック２５Ａの摺動部２５ｃによる被摺動部３５ａへの加圧力が解除され、あるいはフック２５Ａの凹部３５に対する加圧力が解除される。その後は、前記トーションバネで反時計方向へ付勢されているフック２５Ａの凸部２５ｄが、側板３の内面を摺動し、フック２５Ａの係合突起２５ｂが凹部３５に係合した状態が継続されて、フック２５ＡによりトレイＴがＹ１方向へ引き出される。
【００５２】
トレイＴの引き出し動作の途中では、フック２５ＡはトレイＴをＸ１方向へ大きく加圧することなく、トレイＴのＸ１側の縁部とケース１２の内壁部との押圧が解除される。トレイＴは係合突起２５ｂと凹部３５との係合によりＹ１方向へ移動させられるが、このときトレイＴのＸ１側の縁部とケース１２の内壁部との摩擦が解消されているため、トレイＴは前記係合突起２５ｂと凹部３５との係合部を支点としてある程度自由に回動できる自由度を保ちながら、ケース１２内をＹ１方向へ移動する。そのため、トレイＴとケース１２の内面との摺動負荷が過大となるのを防止でき、トレイＴはスムーズにＹ１方向へ移動できる。
【００５３】
トレイＴが図３の位置まで引き出されると、トレイＴに載置されているディスクＤの中心穴Ｄ１がターンテーブル３１に一致し、クランパ３２が下降して、ディスクＤの中心穴Ｄ１の周囲がターンテーブル３１とクランパ３２とで挟持される。そしてディスクＤが回転駆動されて、情報の読取り動作や書き込み動作などが行われる。
【００５４】
ディスクＤがターンテーブル３１にクランプされた状態で、ディスクＤはトレイＴから少し離されるようにして、トレイＴ上で回転駆動される。あるいは、ディスクＤがターンテーブル３１にクランプされた状態で、トレイＴがケース１２内に戻されてから、ディスクＤが回転駆動されてもよい。いずれの場合も、ディスクの駆動が完了すると、ディスクＤのクランプが解除され、トレイＴにディスクＤが載置された状態で、トレイＴがケース１２内に戻される。
【００５５】
トレイＴをケース１２内に戻す動作では、図３の位置からスライド板２６がＹ２方向へ移動する。このとき、係合突起２５ｂの後縁部２５ｊが凹部３５の内側後部３５ｊをＹ２方向へ押圧して、トレイＴがケース１２内に戻される。
【００５６】
トレイＴがケース１２の内部まで移動すると、突部１６の両側部によって弾性保持部材１５の付勢部１５ｂ，１５ｂの対向間隔が押し広げられ、突部１６の頂点１６ａ，１６ａが付勢部１５ｂ，１５ｂを越えると、前記付勢部１５ｂ，１５ｂが突部１６の傾斜部１６ｃ，１６ｃを挟持するように弾圧する。この弾圧付勢力により突部１６はＹ２方向へ勢いよく引き込まれる。
【００５７】
図２と図４に示すように、付勢部１５ｂ，１５ｂが突部１６に対してＹ２方向への引き込み力を作用し始める前、または作用し始めた後に、あるいは作用し始めるのと同時に、フック２５Ａの凸部２５ｄが突起部４に乗り上がるため、トレイＴのＸ２側の縁部がフック２５ＡでＸ１方向へ押圧される。トレイＴのＸ１側の縁部がケース１２の内壁部に加圧され、トレイＴの摺動負荷が増大するため、トレイＴがケース１２の奥側の内壁１２ｂ１に勢いよく衝突するのを防止できる。また、トレイＴの凹部３５の内側前部３５ｉが係合突起２５の前縁部２５ｉに衝撃的に当たるのも防止できる。したがって、トレイＴがケース１２内に戻される際の衝撃音を緩和できる。そして、前記付勢部１５ｂ，１５ｂによって突部１６の首部変曲点１６ｂ，１６ｂが保持された時点で、トレイＴの引き込み動作が完了する。
【００５８】
トレイＴの引き込み動作が完了すると、フック２５Ａの前記凸部２５ｄが前記突起部４を越えて前記切欠穴５に至り、フック２５Ａは、図示しない前記トーションバネによる付勢力によって回動させられて、凸部２５ｄが切欠穴５内に入り込み、フック２５ＡがトレイＴから離される。
【００５９】
また、前記付勢部１５ｂ，１５ｂからトレイＴに引き込み力が作用しているときに、前記緩衝突起１９が規制部２０に当たり、緩衝突起１９が規制部２０により曲げ変形させられる。これによっても、トレイＴとケース１２の内壁１２ｂ１との衝突音を緩和できる。
【００６０】
なお、本発明は、前記実施の形態に限定されるものではなく、種々の変更が可能である。まず、前記実施の形態においてフック２５Ａは、それ自体が弾性変形可能なものであり、突起部４によってフック２５ＡがトレイＴに押圧されたときに、フック２５Ａが変形することが好ましい。
【００６１】
このようにフック２５Ａが変形すると、突起部４からフック２５Ａに与える時計方向への回動量が大きくても、フック２５ＡがトレイＴに当たったときに、その回動量の増加分を変形で吸収できるようになる。
【００６２】
図５は、フックの他の変形例を示す部分拡大斜視図である。フックを除くその他の部分は図４に示すものと同じであるので同一の符号を示してその説明を省略する。
【００６３】
図５に示すフック２５Ｂは、前記フック２５Ａに設けられた凸部２５ｄの代りに、片持ち支持されたバネ部材４０が一体に形成されている。このバネ部材４０は、フック２５Ｂと一体に樹脂で形成されてもよいし、または金属板ばねがフック２５Ｂに固定されたものであってもよい。このバネ部材４０は、軸２５ａよりＹ２寄りに位置し、基部４０ａからＹ２方向へ自由端４０ｂが延びる片持ち梁形状である。あるいは前記バネ部材４０がループ状であってもよい。
【００６４】
弾性保持部材１５がトレイＴの突部１６にＹ１方向への前記押し出し力、またはＹ２方向への引き込み力が作用しているときに、バネ部材４０が突起部４に乗り上がって、バネ部材４０の弾性変形により、フック２５ＢがトレイＴをＸ１方向に押圧する。
【００６５】
また、フック２５ＢがＹ２方向の移動終端に移動したときには、バネ部材４０が切欠穴５に入り込んで、フック２５ＢとトレイＴとの係合状態が解除される。
【００６６】
【発明の効果】
以上のように本発明は、トレイがケースへ戻されるとき、および引き出されるときに、付勢部材の付勢力によるトレイの衝撃を緩和でき衝撃音を低減できる。
【図面の簡単な説明】
【図１】本発明の一実施の形態を示すマガジン式ディスク装置にディスク収納マガジンが装填されているときの全体の内部構造を示す平面図であり、トレイ収納時を示し、
【図２】マガジン式ディスク装置にディスク収納マガジンが装填されているときの全体の内部構造を示す平面図であり、トレイ移動途中の状態を示し、
【図３】マガジン式ディスク装置にディスク収納マガジンが装填されているときの全体の内部構造を示す平面図であり、トレイ引き出し完了時を示し、
【図４】トレイとフックとの結合部分を示す拡大斜視図、
【図５】トレイとフックとの結合部分を示す他の実施の形態を示す拡大斜視図
【図６】ディスク収納マガジンの内部構造を示す斜視図、
【符号の説明】
Ｔ  トレイ
３  側板
４  突起部
５  切欠穴
１１  ディスク収納マガジン
１２  ケース
１５  弾性保持部材
１５ａ  弾性腕
１６  突部
２５Ａ，２５Ｂ  フック
２５ｂ  係止突起
２５ｃ  摺動部
２５ｄ  凸部
２６  スライド板（往復移動部材）
３５  凹部
３５ａ  被摺動部
【図１】
2004220685.tif 000003
【図２】
2004220685.tif 000004
【図３】
2004220685.tif 000005
【図４】
2004220685.tif 000006
【図５】
2004220685.tif 000007
【図６】
2004220685.tif 000008